(57)【特許請求の範囲】
【請求項１】
イエローインク組成物、色濃度の異なる二種のマゼンタインク組成物、および色濃度の異なる二種のシアンインク組成物を含んでなるインクセットであって、
イエローインク組成物が着色剤として下記式（Ｉ）または（ＩＩ）：
【化１】
0003558212.tif 000029
【化２】
0003558212.tif 000030
［式中、
Ｒ１、Ｒ１’、Ｒ２、およびＲ２’は独立してＣＨ３ またはＯＣＨ３  を表し、
ＡおよびＡ’は、
【化３】
0003558212.tif 000031
のいずれかの構造を有する基であり、
Ｍは、Ｈ、Ｌｉ、Ｎａ、Ｋ、アンモニウムまたは有機アミン類を表し
ｎは１または２の整数である。］
で表される化合物を含んでなるものであり、
濃度の濃い方のマゼンタインク組成物が着色剤として下記式（ＩＩＩ）：
【化４】
0003558212.tif 000032
［式中、
ＢおよびＢ’は、独立してＨまたは次式で表される基を表し、
【化５】
0003558212.tif 000033
（ただし、ＢおよびＢ’は同時にＨではない）
Ｒ１は、Ｃ１〜Ｃ４のアルキル基もしくはアルコキシ基、またはＯＨ、ＳＯ３Ｍ、またはＣＯＯＨを表し、
Ｒ２は、ＯＨ、ＣＯＯＭ、またはＮＨＲ５を表し、
Ｒ３は、Ｈ、またはＯＨもしくはＣＯＯＨで置換されたＣ１〜Ｃ４のアルキル基を表し、
Ｒ４は、ＯＨ、ＯＣＨ３、ＯＣ２Ｈ５、ＳＯ３ＭまたはＣＯＯＭで置換されたＣ１〜Ｃ４のアルキル基もしくはフェニル基を表し、
Ｒ５は、ＳＯ３ＭまたはＣＯＯＨで置換されたＣ１〜Ｃ４のアルキル基を表し、
Ｍは、Ｈ、Ｌｉ、Ｎａ、Ｋ、アンモニウムまたは有機アミン類を表す）］
で表される化合物を含んでなるものであり、
濃度の薄い方のマゼンタインク組成物が着色剤として下記（Ｖ）：
【化６】
0003558212.tif 000034
［式中、
Ｘは、少なくとも１つのＳＯ３Ｍで置換されたアニリノ基を表し、
Ｙは、ＯＨ、Ｃｌ、またはモルホリノ基を表し、
Ｍは、Ｈ、Ｌｉ、Ｎａ、Ｋ、アンモニウムまたは有機アミン類を表す。］
で表される化合物を含んでなるものであり、
濃度の濃い方のシアンインク組成物および濃度の薄い方のシアンインク組成物がそれぞれ着色剤として下記式（ＩＶ）：
【化７】
0003558212.tif 000035
［式中、
Ｒ６は、ＯＨ、またはＣＯＯＭを表し、
ｌ、ｍ、およびｎは、それぞれ０〜４であり、かつ（ｌ＋ｍ＋ｎ）＝４である］
で表される化合物を含んでなるものである、インクセット。
【請求項２】
イエローインク組成物が、式（Ｉ）または（ＩＩ）で表される化合物を１．５〜４重量％含んでなる、請求項１に記載のインクセット。
【請求項３】
濃度の濃い方のマゼンタインク組成物が、式（ＩＩＩ）で示される化合物を０．５〜４重量％含んでなり、かつ濃度の薄い方のマゼンタインク組成物が、式（Ｖ）で示される化合物を１〜３重量％含んでなる、請求項１または２に記載のインクセット。
【請求項４】
濃度の濃い方のシアンインク組成物が、式（ＩＶ）で表される化合物を２．５〜  ４．５重量％含んでなり、かつ濃度の薄い方のシアンインク組成物が、式（ＩＶ）で表される化合物を０．４〜１．５重量％含んでなる、請求項１〜３のいずれか一項に記載のインクセット。
【請求項５】
ブラックインク組成物を更に含んでなる、請求項１〜４のいずれか一項に記載のインクセット。
【請求項６】
インク組成物が界面活性剤をさらに含んでなる、請求項１〜５のいずれか一項に記載のインクセット。
【請求項７】
インクジェット記録方法に用いられる、請求項１〜６のいずれか一項に記載のインクセット。
【請求項８】
インク組成物を付着させて記録媒体に印字を行う記録方法であって、インク組成物として請求項１〜７のいずれか一項に記載のインクセットのインク組成物を用いる、方法。
【請求項９】
インク組成物の液滴を吐出し記録媒体に付着させて印字を行うインクジェット記録方法であって、インク組成物として請求項１〜７のいずれか一項に記載のインクセットのインク組成物を用いる、インクジェット記録方法。
【請求項１０】
請求項８または９のいずれか一項に記載の方法によって記録が行われた、記録物。
【発明の詳細な説明】
【０００１】
【発明の背景】
発明の分野
本発明は、色再現性および耐光性に優れたカラーインクセットに関する。
【０００２】
背景技術
一般的に、インク組成物により形成された画像が、長時間、屋内外の光線や外気等に曝されると、紫外線、可視光もしくは大気中の様々なガス等の影響により、画像が劣化してしまうことが多い。特に、複数のインク組成物で形成されるカラー画像にあっては、一色でも耐光性に劣るものが存在すると画像の色相が変わりカラー画像の品質が極端に劣化することとなる。このため、長期保存しても画像劣化が起こり難い、耐候性に優れた画像を形成できるインク組成物が求められている。
【０００３】
また、近年、インクジェット記録方法が注目されている。インクジェット記録方法は、インク組成物の小滴を飛翔させ、紙等の記録媒体に付着させて印刷を行う印刷方法である。この方法は、比較的安価な装置で高解像度かつ高品位な画像を、高速で印刷可能であるという特徴を有する。そして、この方法を利用したインクジェット記録装置は、印字品質、低コスト、比較的静かな動作、グラフィック形成能により、商業的に広く受け入れられている。中でも、サーマル（バブルジェット）および圧電ドロップ・オン・デマンドプリンターは、市場でとりわけ成功し、オフィスおよび家庭でのパソコン用プリンターとして広く用いられてきている。
【０００４】
最近では、複数のカラーインク組成物を用意し、インクジェット記録によってカラー画像を形成することが行われている。一般に、カラー画像の形成は、イエローインク組成物、マゼンタインク組成物、およびシアンインク組成物の三色、さらに場合によってブラックインク組成物を加えた四色によって行われている。さらに、これらの四色にライトシアンインク組成物およびライトマゼンタインク組成物を加えた六色によってカラー画像形成を行う場合もある。このようなカラー画像の形成に用いられるインク組成物には、それ自体が良好な発色性を有していることに加え、複数のインク組成物と組み合わせたときに、良好な中間色を発色することが求められる。
【０００５】
また、このようなインクジェット記録方法に用いられるインクセットのインク組成物には、例えば、粘度、表面張力等の物性値が適当であること、光学濃度が高く、鮮明な色調および画像を与えること、耐水性、耐光性等の堅牢性に優れた画像を与えること、保存安定性に優れること、ノズルの目詰まりを生じにくいこと、さらに臭気および消防上の危険性等における安全性などの性能が要求される。これらの性能の多くを満たすために、水溶性染料を水または水と水溶性有機溶剤との混合液に溶解した水性インクが使用される。このとき、種々の色相のインク組成物が種々の色相の染料から調製される。
【０００６】
色調、耐光性、耐水性といった種々の画像特性は、インク組成物中の着色剤の性能に左右されるところが大きく、従来より様々な染料が検討されている。
【０００７】
【発明の概要】
本発明者等は、今般、特定の染料系カラーインク組成物を組み合わせたインクセットが、極めて色再現性に優れ、かつ耐光性にも優れた画像が実現できるとの知見を得た。本発明は、このような知見に基づくものである。
よって、本発明は、色再現性優れた画像を実現できるインクセットの提供をその目的としている。
【０００８】
従って、本発明のインクセットは、  イエローインク組成物、色濃度の異なる二種のマゼンタインク組成物、および色濃度の異なる二種のシアンインク組成物を含んでなるインクセットであって、
【０００９】
イエローインク組成物が着色剤として下記式（Ｉ）または（ＩＩ）：
【化８】
0003558212.tif 000002
【化９】
0003558212.tif 000003
［式中、
Ｒ１、Ｒ１’、Ｒ２、およびＲ２’は独立してＣＨ３ またはＯＣＨ３  を表し、
ＡおよびＡ’は、
【化１０】
0003558212.tif 000004
のいずれかの構造を有する基であり、
Ｍは、Ｈ、Ｌｉ、Ｎａ、Ｋ、アンモニウムまたは有機アミン類を表し
ｎは１または２の整数である。］
で表される化合物を含んでなるものであり、
【００１０】
濃度の濃い方のマゼンタインク組成物が着色剤として下記式（ＩＩＩ）：
【化１１】
0003558212.tif 000005
［式中、
ＢおよびＢ’は、独立してＨまたは次式で表される基を表し、
【化１２】
0003558212.tif 000006
（ただし、ＢおよびＢ’は同時にＨではない）
Ｒ１は、Ｃ１〜Ｃ４のアルキル基もしくはアルコキシ基、またはＯＨ、ＳＯ３Ｍ、またはＣＯＯＨを表し、
Ｒ２は、ＯＨ、ＣＯＯＭ、またはＮＨＲ５を表し、
Ｒ３は、Ｈ、またはＯＨもしくはＣＯＯＨで置換されたＣ１〜Ｃ４のアルキル基を表し、
Ｒ４は、ＯＨ、ＯＣＨ３、ＯＣ２Ｈ５、ＳＯ３Ｍ、またはＣＯＯＭで置換されたＣ１〜Ｃ４のアルキル基もしくはフェニル基を表し、
Ｒ５は、ＳＯ３ＭまたはＣＯＯＨで置換されたＣ１〜Ｃ４のアルキル基を表し、
Ｍは、Ｈ、Ｌｉ、Ｎａ、Ｋ、アンモニウムまたは有機アミン類を表す）］
で表される化合物を含んでなるものであり、
【００１１】
濃度の薄い方のマゼンタインク組成物が着色剤として下記（Ｖ）：
【化１３】
0003558212.tif 000007
［式中、
Ｘは、少なくとも１つのＳＯ３Ｍで置換されたアニリノ基を表し、
Ｙは、ＯＨ、Ｃｌ、またはモルホリノ基を表し、
Ｍは、Ｈ、Ｌｉ、Ｎａ、Ｋ、アンモニウムまたは有機アミン類を表す。］
で表される化合物を含んでなるものであり、
【００１２】
濃度の濃い方のシアンインク組成物および濃度の薄い方のシアンインク組成物がそれぞれ着色剤として下記式（ＩＶ）：
【化１４】
0003558212.tif 000008
［式中、
Ｒ６は、ＯＨ、またはＣＯＯＭを表し、
ｌ、ｍ、およびｎは、それぞれ０〜４であり、かつ（ｌ＋ｍ＋ｎ）＝４である］
で表される化合物を含んでなるものである。
【００１３】
本発明によるインクセットは、このように各インク組成物の着色剤としてそれぞれ特定の化合物を含むことにより、形成される画像の色再現性を顕著に向上させることでき、かつその画像の耐光性の向上を図ることができる。
【００１４】
【発明の具体的説明】
インクセット
本発明によるインクセットは、インク組成物を用いた記録方式に用いられる。インク組成物を用いた記録方式とは、例えば、インクジェット記録方式、ペン等による筆記具による記録方式、その他各種の印字方式が挙げられる。本発明によるインク組成物は、インクジェット記録方法に好ましく用いらる。
【００１５】
本発明によるインクセットは、基本的に、イエローインク組成物、色濃度の異なる二種のマゼンタインク組成物、および色濃度の異なる二種のシアンインク組成物を含んでなる。ここで、色濃度の異なる二種のインク組成物は、濃度の濃いものと濃度の薄いものとに分けることができる。
【００１６】
イエローインク組成物
本発明において用いられるイエローインク組成物は、着色剤として上記式（Ｉ）または（ＩＩ）で表される化合物を含んでなるものである。本発明において、着色剤として、式（Ｉ）または（ＩＩ）に表される化合物は、単独であってもよく、また複数種混合し用いてもよい。
【００１７】
式（Ｉ）または（ＩＩ）に表される化合物の具体例としては、下記のものが挙げられる。
【００１８】
【化１５】
0003558212.tif 000009
【００１９】
【化１６】
0003558212.tif 000010
【００２０】
イエローインク組成物中における着色剤濃度は適宜選択することができるが、通常、該インク組成物が式（Ｉ）または（ＩＩ）で表される化合物を１．５〜６．０重量％含むことが好ましい。このような範囲の濃度であることは、マゼンタインクおよびシアンインクとのバランスの点からも好ましい。また、いわゆる普通紙にベタ印刷（１００％  Ｄｕｔｙの塗りつぶし印刷）したときにイエローＯＤ値が１．０〜１．５の範囲であることが好ましいため、イエローインク組成物が式（Ｉ）または（ＩＩ）で表される化合物を１．５〜４．０重量％含むことがより好ましい。
【００２１】
マゼンタインク組成物
本発明によるインクセットにおいて使用される色濃度の異なる二種のマゼンタインク組成物は、濃度の濃い方のマゼンタインク組成物（以下において必要により濃マゼンタインクともいう）と、濃度の薄い方のマゼンタインク組成物（以下において必要により淡マゼンタインクともいう）とからなる。このように濃淡色のマゼンタインクを用いてインクジェット記録を行うことにより、鮮明性が高く、耐光性に優れた記録画像を得ることができる。
【００２２】
本発明において用いられる濃度の濃い方のマゼンタインク組成物は着色剤として上記式（ＩＩＩ）で表される化合物を含んでなるものである。この化合物を含むインク組成物は、単色での鮮明性、耐光性に優れたものである。
【００２３】
式（ＩＩＩ）で表される化合物の具体例としては、下記のものが挙げられる。
【００２４】
【化１７】
0003558212.tif 000011
【００２５】
【化１８】
0003558212.tif 000012
【００２６】
【化１９】
0003558212.tif 000013
【００２７】
本発明において、式（ＩＩＩ）に表される化合物を単独で用いてもよく、また複数種混合して用いてもよい。濃マゼンタインクとしては、式（ＩＩＩ）で表される化合物を０．５〜４．０重量％含むことが好ましい。いわゆる普通紙にベタ印刷（１００％  Ｄｕｔｙの塗りつぶし印刷）したときに、マゼンタＯＤ値が１．０〜１．５の範囲となる。
【００２８】
本発明において、濃度の薄い方のマゼンタインク組成物に用いられる着色剤は式（Ｖ）に示される化合物である。
【００２９】
この式（Ｖ）に表される化合物の具体例としては、下記のものが挙げられる。
【００３０】
【化２０】
0003558212.tif 000014
【００３１】
【化２１】
0003558212.tif 000015
【００３２】
【化２２】
0003558212.tif 000016
【００３３】
【化２３】
0003558212.tif 000017
【００３４】
本発明において、式（Ｖ）に表される化合物を単独で用いてもよく、また複数種混合して用いてもよい。
【００３５】
濃度の薄い方のマゼンタインク組成物中における着色剤濃度は、前記の濃色マゼンタインクとを組み合わせたときのカラーバランスに従って適宜選択することができるが、通常、該インク組成物が式（Ｖ）で示される化合物を１〜３重量％含むことが好ましい。このような濃度範囲にあることにより、式（ＩＩＩ）で表される化合物を含んでなる濃マゼンタインクと組み合わせたときのバランスが良好となる。
【００３６】
シアンインク組成物
本発明によるインクセットにおいて使用される色濃度の異なる二種のシアンインク組成物は、濃度の濃い方のシアンインク組成物（以下において必要により濃シアンインクともいう）と、濃度の薄い方のシアンインク組成物（以下において必要により淡シアンインクともいう）とからなる。
【００３７】
本発明において用いられる濃シアンインク組成物および淡シアンインク組成物は、それぞれ着色剤として上記式（ＩＶ）で表される化合物を含んでなるものである。
【００３８】
色濃度の異なるインク組成物の色濃度差は、染料濃度の大小により生じさせてもよく、また用いる着色剤の種類を適宜選択することで生じさせてもよい。
【００３９】
上記式（ＩＶ）で表される化合物の具体例としては、下記のものが挙げられる。
【００４０】
【化２４】
0003558212.tif 000018
【００４１】
【化２５】
0003558212.tif 000019
【００４２】
本発明において、濃シアンインク組成物および淡シアンインク組成物にそれぞれ用いられる着色剤としては、それぞれ式（ＩＶ）に表される化合物を単独で用いてもよく、複数種混合して用いてもよい。
【００４３】
濃シアンインク組成物中における着色剤濃度は適宜選択することができるが、通常、該インク組成物が式（ＩＶ）で表される化合物を２．０〜６．０重量％含むことが好ましい。また、いわゆる普通紙にベタ印刷（１００％  Ｄｕｔｙの塗りつぶし印刷）したときにシアンＯＤ値が１．０〜１．５の範囲であることが好ましいため、濃度の濃い方のシアンインク組成物が式（ＩＶ）で表される化合物を２．５〜４．５重量％含むことがより好ましい。
【００４４】
淡シアンインク組成物中における着色剤濃度は、着色剤として使用される式（ＩＶ）で表される化合物と、前記の濃色シアンインクとを組み合わせたときのカラーバランスに従って適宜選択することができるが、通常、該インク組成物が式（ＩＶ）で表される化合物を０．４〜１．５重量％含むことが好ましい。このような濃度範囲にあることにより、濃シアンインクと組み合わせたときのバランスが良好となる。
【００４５】
ブラックインク組成物
本発明においては、イエローインク組成物、色濃度の異なる二種のマゼンタインク組成物、および色濃度の異なる二種のシアンインク組成物を含んでなるインクセットに、さらにブラックインク組成物を包含させることができる。
【００４６】
本発明において使用可能なブラックインク組成物に含まれる着色剤としては、黒色を印刷することができる染料または顔料であればいずれのものも使用可能である。例えば、直接染料、酸性染料、食用染料、塩基性染料、反応性染料、分散染料、建染染料、可溶性建染染料、反応分散染料、など通常インク組成物、とりわけインクジェット記録に使用される各種染料が使用可能である。またこのような顔料としては、カーボンブラック等の黒顔料が使用可能である。
【００４７】
本発明において用いられるブラックインク組成物は、安全性等の問題から水性インクであることが好ましい。
本発明において、ブラックインク組成物に含まれる染料は単独または複数種混合して用いることができる。
【００４８】
水、水溶性有機溶媒、およびその他の任意の成分
本発明に用いられるインク組成物において、主溶媒は水または水と水溶性有機溶媒の混合液が好適である。水は、イオン交換水、限外濾過水、逆浸透水、蒸留水等の純水、または超純水を用いることができる。また、紫外線照射、または過酸化水素添加などにより滅菌した水を用いることにより、インク組成物を長期保存する場合にカビやバクテリアの発生を防止することができるので好適である。
【００４９】
本発明に用いられるインク組成物においては、主溶媒として使用される場合の水の含有量は、インク組成物に対して５０〜９０重量％であるのが好ましく、また、６０〜８０重量％であるのがさらに好ましい。
【００５０】
本発明の好ましい態様によれば、本発明に用いられるインク組成物の溶媒は、水と水溶性有機溶媒の混合液であり、高沸点有機溶媒からなる湿潤剤をさらに含んでなることが好ましい。高沸点有機溶媒剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどの多価アルコール類；エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルの多価アルコールのアルキルエーテル類；尿素；２−ピロリドン、Ｎ−メチル−２−ピロリドン；１，３−ジメチル−２−イミダゾリジノン、ホルムアミド、アセトアミド、ジメチルスルホキシド、ソルビット、ソルビタン、アセチン、ジアセチン、トリアセチン、スルホランなどが挙げられ、これら一種または二種以上の混合物として用いることができる。
【００５１】
本発明において用いられるアセチレングリコール系界面活性剤の好ましい具体例としては、下記の式（ａ）で表わされる化合物が挙げられる。
【００５２】
【化２６】
0003558212.tif 000020
［上記式中、０≦ｍ＋ｎ≦５０、Ｒ１、Ｒ２、Ｒ３、およびＲ４は独立してアルキル基（好ましくは炭素数１〜６のアルキル基）を表す］
【００５３】
上記の式（ａ）で表される化合物の中で特に好ましくは２，４，７，９−テトラメチル−５−デシン−４，７−ジオール、３，６−ジメチル−４−オクチン−３，６−ジオール、３，５−ジメチル−１−ヘキシン−３−オールなどが挙げられる。上記の式（ａ）で表されるアセチレングリコール系界面活性剤として市販品を利用することも可能であり、その具体例としてはサーフィノール８２、１０４、４４０、４６５、４８５、またはＴＧ（いずれもＡｉｒ  Ｐｒｏｄｕｃｔｓ  ａｎｄ  Ｃｈｅｍｉｃａｌｓ．Ｉｎｃ．より入手可能）、オルフィンＳＴＧ、オルフィンＥ１０１０（商品名）（以上、日信化学社製）が挙げられる。
【００５４】
界面活性剤の添加量はインク組成物に対して０．１〜３重量％程度の範囲が好ましく、より好ましくは０．５〜２重量％程度の範囲である。なお、本発明に用いられるインク組成物の表面張力は、４５ｍＮ／ｍ以下であり、好ましくは２５〜４０ｍＮ／ｍ範囲程度が好ましい。
【００５５】
本発明に用いられるインク組成物は、さらにノズルの目詰まり防止剤、防腐剤または防かび剤、酸化防止剤、導電率調整剤、ｐＨ調整剤、溶解助剤、粘度調整剤、浸透促進剤、表面張力調整剤、酸素吸収剤などを必要に応じて添加することができる。
【００５６】
防腐剤または防かび剤の例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（Ｚｅｎｅｃａ社のプロキセルＣＲＬ、プロキセルＢＤＮ、プロキセルＧＸＬ、プロキセルＸＬ−２、プロキセルＴＮ）などがあげれる。
【００５７】
さらに、ｐＨ調整剤、溶解助剤、または酸化防止剤の例としては、ジエタノールアミン、トリエタノールアミン、プロパノールアミン、モルホリンなどのアミン類およびそれらの変成物、水酸化カリウム、水酸化ナトリウム、水酸化リチウムなどの無機塩類、水酸化アンモニウム、四級アンモニウム水酸化物（テトラメチルアンモニウムなど）、炭酸カリウム、炭酸ナトリウム、炭酸リチウムなどの炭酸塩類その他燐酸塩など、あるいはＮ−メチル−２−ピロリドン、尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸およびその塩を挙げることができる。
【００５８】
本発明においてはまた、前記した他の任意の成分は、単独または各群内および各群間において複数種選択して混合して用いることもできる。
【００５９】
本発明においては、インク組成物のすべての成分の量は、インク組成物の粘度が２０℃で１０ｍＰａ・ｓ未満であるように選択されるのが好ましい。
【００６０】
記録方法
本発明によるインクセットは、インク組成物を付着させて記録媒体に印字を行う記録方式に用いられる。
【００６１】
本発明の別の態様によれば、本発明によるインクセットに含まれるインク組成物の液滴を吐出し記録媒体に付着させて印字を行うインクジェット記録方法が提供される。
さらに本発明によれば、これらの記録方法により記録された記録物も提供される。
【００６２】
【実施例】
以下、実施例によって本発明を具体的に説明するが、これらは本発明の範囲を限定するものではない。
【００６３】
インクセットの調製
以下の表に表される組成のインク組成物を調製し、インクセット１〜６を作成した。なお、表中に示すインクの各成分量はインク全重量に対する各成分のｗｔ％を示し、残量はイオン交換水である。また、染料Ｙ−１〜Ｙ−８、Ｍ−１〜Ｍ−１０、ＬＭ−１〜ＬＭ−１２、およびＣ−１〜Ｃ−６は上記した具体的な構造の染料を意味する。
【００６４】
【表１】
0003558212.tif 000021
【００６５】
【表２】
0003558212.tif 000022
【００６６】
【表３】
0003558212.tif 000023
【００６７】
【表４】
0003558212.tif 000024
【００６８】
【表５】
0003558212.tif 000025
【００６９】
【表６】
0003558212.tif 000026
【００７０】
インクセットの評価試験
次に得られたインクセットについて、以下に示す記録媒体（１）〜（４）を用いて、以下の試験１〜３について評価した。（１）はいわゆる普通紙であり、（２）〜（４）はインクジェットプリンタ専用記録媒体である。
（記録媒体）
（１）Ｘｅｒｏｘ  ４０２４  （米国  Ｘｅｒｏｘ．Ｃｏ．製）
（２）ＥＰＳＯＮ  スーパーファイン用紙  （エプソン販売株式会社製）
（３）ＥＰＳＯＮ  専用写真光沢紙        （エプソン販売株式会社製）
（４）ＥＰＳＯＮ  専用光沢フィルム      （エプソン販売株式会社製）
【００７１】
また、評価試験においては、インクジェットプリンタＰＭ−７７０Ｃ（セイコーエプソン株式会社製）を用いた。
また、耐光性試験には、耐光性の加速試験機として、キセノンフエザオメーターＣｉ３５Ｗ（アトラス・エレクトリック・デバイス社製）を用い、評価を行った。
【００７２】
試験１：耐光性
ＰＭ−７７０Ｃ用インクカートリッジ（型番：ＩＣ５ＣＬ０２  セイコーエプソン社製）に実施例および比較例のインクセットを充填し、記録媒体（１）〜（４）に対して、レツド、ブルー、グリーンと、コンボジットブラツク７０％濃度のベタ印刷を行った。
７０％濃度のレツドは、濃マゼンタ、淡マゼンタ、イエローのインクで構成され、７０％濃度のブルーは濃マゼンタ、淡マゼンタ、濃シアン、淡シアンのインクで構成され、７０％濃度のグリーンはイエロー、濃シアン、淡シアンのインクで構成され、７０％濃度のコンポジットブラックは濃マゼンタ、淡マゼンタ、濃シアン、淡シアン、イエロー、ブラックのインクで構成されるよう、印刷方法を調整した。なお、ブラックインクはＰＭ−７７０Ｃ用のオリジナルインクを用いた。
【００７３】
この印刷サンプルについて、キセノンフエザオメーターＣｉ３５Ｗ（アトラス・エレクトリック・デバイス社製）を用いて、６０時間の耐光性試験を行い、試験前後における色差（ΔＥ＊ａｂ）を式（ｉ）から求め、以下の基準で判定した。
ΔＥ＊ａｂ＝［（ΔＬ＊）２  ＋  （Δａ＊）２ ＋ （Δｂ＊）２］１／２          （ｉ）
【００７４】
評価Ａ：色差ΔＥ＊ａｂ    が５以下である
評価Ｂ：色差ΔＥ＊ａｂ      ５を越え１０以下である
評価Ｃ：色差ΔＥ＊ａｂ      １０を越え２０以下である
評価Ｄ  ：色差ΔＥ＊ａｂ      ２０を越える
【００７５】
結果は表７に示される通りであった。
【００７６】
【表７】
0003558212.tif 000027
【００７７】
試験２：色再現範囲
ＰＭ−７７０Ｃ用インクカートリッジに前記の各インクセットを充填し、記録媒体（３）に対して、前記インクセットからなるイエロー、マゼンタ、シアン、レッド、ブルー、グリーンの各色の１００階調濃度のパッチパターンを印刷した。得られたパッチのそれぞれの明度（Ｌ＊）、色相（ａ＊，ｂ＊）を測定し、Ｘ軸にａ＊、Ｙ軸にｂ＊、Ｚ軸にＬ＊をプロットすることで、色の立体空間（色再現範囲）を求めた。
ＰＭ−７７０Ｃのオリジナルインクセツトの色再現範囲を１００％とし、前記の各インクセットの色再現範囲と比較した。
【００７８】
試験３：目詰まり回復性
前記各インクセットをＰＭ−７７０Ｃのプリントヘッドに充填し、キャップをしない状態で４０℃の環境に１ケ月間放置し、放置後、全ノズルが正常と吐出するまでに要するクリーニングの動作回数行った。以下の基準でその評価した。
評価Ａ：２回以内で復帰する
評価Ｂ：３〜５回で復帰する
評価Ｃ：６〜１０回で復帰する
評価Ｄ  ：１０回の操作でも復帰しない
【００７９】
試験２および試験３の評価結果は表８に示される通りであった。
【００８０】
【表８】
0003558212.tif 000028